(57)【要約】【課題】容易に施工できると共に意匠性を向上できるデッキ、デッキ構造及びデッキの施工方法を提供すること。【解決手段】デッキ１は、基礎部２と、基礎部２に固定されるフレーム４と、フレーム４に取り付けられる床材５と、を備え、フレーム４は、外枠４１と、外枠４１内に配置される少なくとも１以上の内側フレーム部材４２，４３と、を有し、基礎部２は、平面視でフレーム４における外枠４１を避けた位置に配置される。また、１つの基礎部２は、離間して配置される複数の内側フレーム部材４２，４３に亘って配置されることが好ましい。【選択図】図４
2020133199.tif 000002
【特許請求の範囲】
【請求項１】
基礎部と、前記基礎部に固定されるフレームと、前記フレームに取り付けられる床材と、を備えるデッキであって、
前記フレームは、外枠と、前記外枠内に配置される少なくとも１以上の内側フレーム部材と、を有し、
前記基礎部は、平面視で前記フレームにおける前記外枠を避けた位置に配置されるデッキ。
【請求項２】
前記内側フレーム部材を複数備え、
１つの前記基礎部は、離間して配置される前記複数の内側フレーム部材に亘って配置される請求項１に記載のデッキ。
【請求項３】
前記１以上の内側フレーム部材は、１つの前記基礎部に直接固定される請求項１又は２に記載のデッキ。
【請求項４】
前記基礎部の上面は、地面よりも高い位置に位置する請求項１〜３のいずれかに記載のデッキ。
【請求項５】
前記基礎部は、平面視で円形状に形成される請求項１〜４のいずれかに記載のデッキ。
【請求項６】
前記内側フレーム部材は、中空部を有するホロー構造で構成され、
前記フレームは、前記ホロー構造で構成される前記内側フレーム部材の下面板において、ネジ部材により、前記基礎部に固定される請求項１〜５のいずれかに記載のデッキ。
【請求項７】
請求項１〜６のいずれかに記載のデッキを複数備えるデッキ構造であって、
隣接する前記デッキは、互いの前記フレーム及び前記床材の一部同士が上下に重なった状態で、段状に並んで配置されるデッキ構造。
【請求項８】
請求項１〜６のいずれかに記載のデッキの施工方法であって、
筒状部材にコンクリートを流し込んで前記基礎部を作製する工程と、
前記基礎部に、前記フレームおける前記外枠及び前記内側フレーム部材を一体化して構成したフレームユニットを固定する工程と、を含むデッキ構造の施工方法。
【発明の詳細な説明】
【技術分野】
【０００１】
本発明は、デッキ、デッキ構造及びデッキの施工方法に関する。
【背景技術】
【０００２】
従来、台座に立設して配置される複数の束柱と、複数の大引と、複数の根太と、複数の床材と、を備えるデッキが知られている（例えば、特許文献１参照）。
特許文献１に記載のデッキにおいては、台座に束柱が立設され、大引が束柱に架設され、根太が複数の大引に架設されている。
【先行技術文献】
【特許文献】
【０００３】
【特許文献１】特開２０１７−１３７７１６号公報
【発明の概要】
【発明が解決しようとする課題】
【０００４】
デッキの施工に関して、台座に束柱を立設し、大引を束柱に架設して、根太を複数の大引に架設して施工する場合には、施工に手間が掛かりやすい。また、束柱がデッキの端部寄りに配置されるため、外部から視認されやすく、意匠性の向上が求められる。
そのため、容易に施工できると共に意匠性を向上できるデッキが望まれている。
【０００５】
本発明は、容易に施工できると共に意匠性を向上できるデッキ、デッキ構造及びデッキの施工方法を提供することを目的とする。
【課題を解決するための手段】
【０００６】
本発明は、基礎部（例えば、後述の基礎部２）と、前記基礎部に固定されるフレーム（例えば、後述のフレーム４）と、前記フレームに取り付けられる床材（例えば、後述のタイル５）と、を備えるデッキ（例えば、後述のデッキ１）であって、前記フレームは、外枠（例えば、後述の外枠４１）と、前記外枠内に配置される少なくとも１以上の内側フレーム部材（例えば、後述の縦材４２、横材４３）と、を有し、前記基礎部は、平面視で前記フレームにおける前記外枠を避けた位置に配置されるデッキに関する。
【０００７】
また、前記内側フレーム部材を複数備え、１つの前記基礎部は、離間して配置される前記複数の内側フレーム部材に亘って配置されることが好ましい。
【０００８】
また、前記１以上の内側フレーム部材は、１つの前記基礎部に直接固定されることが好ましい。
【０００９】
また、前記基礎部の上面は、地面よりも高い位置に位置することが好ましい。
【００１０】
また、前記基礎部は、平面視で円形状に形成されることが好ましい。
【００１１】
また、前記内側フレーム部材は、中空部を有するホロー構造で構成され、前記フレームは、前記ホロー構造で構成される前記内側フレーム部材の下面板（例えば、後述の下面板４５）において、ネジ部材（例えば、後述のネジ部材２５）により、前記基礎部に固定されることが好ましい。
【００１２】
また、本発明は、前記デッキを複数備えるデッキ構造であって、隣接する前記デッキは、互いの前記フレーム及び前記床材の一部同士が上下に重なった状態で、段状に並んで配置されるデッキ構造に関する。
【００１３】
また、本発明は、前記デッキの施工方法であって、筒状部材にコンクリートを流し込んで前記基礎部を作製する工程と、前記基礎部に、前記フレームおける前記外枠及び前記内側フレーム部材を一体化して構成したフレームユニットを固定する工程と、を含むデッキ構造の施工方法に関する。
【発明の効果】
【００１４】
本発明によれば、容易に施工できると共に意匠性を向上できるデッキ、デッキ構造及びデッキの施工方法を提供することができる。
【図面の簡単な説明】
【００１５】
【図１】本実施形態に係るデッキ構造を示す斜視図である。
【図２】本実施形態に係るデッキ構造を示す平面図である。
【図３】本実施形態に係るデッキ構造を示す図１のＡ−Ａ線断面図である。
【図４】デッキの分解斜視図である。
【図５】基礎部にフレームを配置した場合の平面図である。
【図６】デッキを示す断面図である。
【図７】基礎部を作製する工程を示す図である。
【図８】フレームを基礎部に固定する構造を示す断面図である。
【発明を実施するための形態】
【００１６】
本発明の一実施形態に係るデッキ構造１００について説明する。図１は、本実施形態に係るデッキ構造１００を示す斜視図である。図２は、本実施形態に係るデッキ構造１００を示す平面図である。図３は、本実施形態に係るデッキ構造１００を示す図１のＡ−Ａ線断面図である。
【００１７】
まず、本発明の一実施形態に係るデッキ構造１００の全体の配置について説明する。
図１〜図３に示すように、デッキ構造１００は、複数のデッキ１が階段状に並んで配置されたデッキ構造である。
【００１８】
例えば、図１〜図３に示すように、複数のデッキ１は、最上段に配置される基準デッキ１０から、第１方向Ｄ１に沿って下方に向けて複数段に配置され、第１方向Ｄ１の最下段において９０度屈曲して、第１方向Ｄ１に直交する第２方向Ｄ２に沿って下方に向けて複数段配置される。最上段に配置される基準デッキ１０は、図３に示すように、支柱１０ａと、大引１０ｂと、根太１０ｃと、床部１０ｄと、幕板部１０ｅと、を備えるデッキである。
【００１９】
デッキ１について説明する。図４は、デッキ１の分解斜視図である。図５は、基礎部２にフレーム４を配置した場合の平面図である。図６は、デッキ１を示す断面図である。図７は、基礎部２を作製する工程を示す図である。なお、本実施形態の説明においては、平面視において、デッキ１の長辺方向をＸ方向ともいい、デッキ１の短辺方向をＹ方向ともいう。
【００２０】
複数のデッキ１は、それぞれ、平面視で長方形状に形成される。デッキ１は、図４〜図６に示すように、２つの基礎部２と、床構成部３と、を有する。デッキ１において、床構成部３は、２つの基礎部２に支持される。床構成部３は、基礎部２に直接固定されるフレーム４と、フレーム４に取り付けられる複数のタイル５（床材）と、幕板部６と、を有する。
【００２１】
２つの基礎部２は、図４〜図６に示すように、Ｘ方向に離間して一対設けられる。２つの基礎部２は、地面１０１に配設されている。基礎部２は、地面１０１から突出するように円柱状に形成され、上面が平面状に形成される。基礎部２は、平面視で円形状に形成される。基礎部２の上面は、地面１０１よりも高い位置に位置する。
【００２２】
基礎部２は、図４に示すように、フレーム４における縦材４２及び横材４３の複数箇所においてネジ部材２５により固定される。本実施形態においては、基礎部２は、縦材４２及び横材４３に跨って配置される。より具体的には、１つの基礎部２は、図５に示すように、離間して配置される複数の縦材４２に亘って配置されている。
【００２３】
基礎部２は、フレーム４の内側の位置において、基礎部２が床構成部３の外縁から離れた内側に配置されており、フレーム４における外枠４１を避けた位置に配置される。これにより、基礎部２は、外部から視認しにくい位置に配置される。基礎部２の外縁からフレーム４の外縁までの距離は、例えば、２０ｃｍ以上であることが好ましい。
【００２４】
基礎部２は、例えば、コンクリートや石材などで形成される。図７に示すように、例えば、基礎部２は、地面１０１から立設して配置された円筒状の管体２１（筒状部材）にコンクリートを流し込んで固めることで作製されている。例えば、管体２１は、紙材により形成される。なお、管体２１の材質は、紙材に限定されず、プラスチック材料などで構成してもよい。また、管体２１の形状は、円筒状に限定されず、角筒状に形成してもよい。また、管体２１は、複数の部材から構成される型枠とは異なり、一体型の筒状の部材により構成される。管体２１を一体型の筒状の部材により構成することで、複数の部材から構成される型枠を用いる場合よりも、部材の数を少なくできるため、コンクリートで基礎部２を作製する場合に、基礎部２を容易に作製できる。
【００２５】
なお、本実施形態では、基礎部２をコンクリートで作製する場合に、一体型の筒状の部材により構成した管体２１にコンクリートを流し込んで固めることで基礎部２を作製するように構成したが、これに限定されない。例えば、基礎部２をコンクリートで作製する場合に、複数の部材を組み立てて構成した型枠にコンクリートを流し込んで固めることで基礎部２を作製するように構成してもよい。
【００２６】
円筒状の管体２１として、例えば、ボイド管を利用することができる。ボイド管とは、本実施形態とは用途が異なり、スラブ・梁・壁といった躯体などのコンクリート打設を行う際に、配管などのための穴（スリーブ）を抜く場合に使用するものである。本実施形態においては、ボイド管の本来の用途とは異なるが、ボイド管を利用して、基礎部２を作製することができる。
【００２７】
基礎部２を作製する場合には、まず、図７（ａ）に示すように、筒状の紙材の管体２１の下端部を地面１０１に埋め込んだ状態で、管体２１を地面１０１に立設する。次に、図７（ｂ）に示すように、管体２１の内部にコンクリートを流し込む。その後、紙材の管体２１を剥がすことで、図７（ｃ）に示すように、円柱状の基礎部２を作製できる。なお、紙材の管体２１の最上部までコンクリートを流し込んで基礎部２を作製することで、管体２１を剥がさない状態で基礎部２を使用してもよい。
【００２８】
フレーム４は、図４及び図５に示すように、矩形に枠組みされた外枠４１と、外枠４１内に配置される複数の縦材４２（内側フレーム部材）と、外枠４１内に配置される横材４３（内側フレーム部材）と、複数の補強材４４と、を有する。フレーム４は、２つの基礎部２に、複数のネジ部材２５により固定される。本実施形態においては、フレーム４は、フレーム４のＸ方向の中央においてＹ方向に延びて形成される仮想対称線Ｋを挟んで対称の形状である。
【００２９】
本実施形態においては、フレーム４は、外枠４１、複数の縦材４２及び横材４３が、フレームユニットとして、一体化されて構成される。フレームユニットとして構成されたフレーム４は、例えば、工場で一体に組み立てられ、施工現場において、基礎部２の上にそのまま載置してネジ部材２５で固定することで設置できる。なお、フレーム４をユニットとして一体化して構成しなくてもよく、フレーム４の外枠４１、複数の縦材４２及び横材４３を、デッキ１を施工する現場において組み立ててもよい。
【００３０】
外枠４１は、一対の縦枠４１１及び一対の横枠４１２により、矩形に枠組みされて形成され、フレーム４の外側の枠部を構成する。一対の縦枠４１１は、それぞれ、フレーム４におけるＸ方向の一方側Ｘ１側の端部及び他方側Ｘ２の端部において、Ｙ方向に沿って延びる。横枠４１２は、フレーム４におけるＹ方向の一方側Ｙ１の端部及び他方側Ｙ２の端部において、Ｘ方向に沿って延びる。本実施形態においては、縦枠４１１の長さは、横枠４１２の長さよりも短く形成される。
【００３１】
複数の縦材４２及び横材４３は、外枠４１内において、隣接する部材同士が、互いに連結される。縦材４２及び横材４３は、それぞれ、例えば、中空部を有するアルミ材料で形成されたホロー構造で構成される。なお、縦材４２及び横材４３の全部又は一部を、中空部を有さないソリッド構造で構成してもよい。
【００３２】
横材４３は、外枠４１の内側において、Ｙ方向の中央においてＸ方向の全域に延びる長尺状に形成される。
複数の縦材４２は、外枠４１の内側において、横材４３を挟んだＹ方向の一方側Ｙ１及び他方側Ｙ２の両側において、Ｙ方向に延びて形成され、Ｘ方向に並んで配置される。
【００３３】
図５に示すように、複数の縦材４２は、横材４３を挟んで、Ｙ方向の一方側Ｙ１においてＸ方向に並んで配置される複数のＹ１側縦材４２１と、Ｙ方向の他方側Ｙ２においてＸ方向に配置される複数のＹ２側縦材４２２と、を有する。
【００３４】
複数のＹ１側縦材４２１は、図５に示すように、Ｘ方向の中央の仮想対称線Ｋに沿って配置されるＹ１側中央縦材４２１ａを有し、Ｙ１側中央縦材４２１ａ（仮想対称線Ｋ）を挟んでフレーム４のＸ方向の一方側Ｘ１及び他方側Ｘ２の両側それぞれに、Ｙ１側第１中間縦材４２１ｂ、Ｙ１側第２中間縦材４２１ｃ及びＹ１側第３中間縦材４２１ｄを有する。Ｙ１側第１中間縦材４２１ｂ、Ｙ１側第２中間縦材４２１ｃ及びＹ１側第３中間縦材４２１ｄは、Ｘ方向において、Ｙ１側中央縦材４２１ａ側から外枠４１の一方側Ｘ１の縦枠４１１又は他方側Ｘ２の縦枠４１１に向けて、この順に並んで配置される。
【００３５】
また、複数のＹ２側縦材４２２は、図５に示すように、Ｘ方向の中央の仮想対称線Ｋに沿って配置されるＹ２側中央縦材４２２ａを有し、Ｙ２側中央縦材４２２ａ（仮想対称線Ｋ）を挟んでフレーム４のＸ方向の一方側Ｘ１及び他方側Ｘ２の両側それぞれに、Ｙ２側第１中間縦材４２２ｂ、Ｙ２側第２中間縦材４２２ｃ及びＹ２側第３中間縦材４２２ｄを有する。Ｙ２側第１中間縦材４２２ｂ、Ｙ２側第２中間縦材４２２ｃ及びＹ２側第３中間縦材４２２ｄは、Ｘ方向において、Ｙ２側中央縦材４２２ａ側から外枠４１の一方側Ｘ１の縦枠４１１又は他方側Ｘ２の縦枠４１１に向けて、この順に並んで配置される。
【００３６】
基礎部２は、Ｘ１側半分フレーム４ａ及びＸ２側半分フレーム４ｂそれぞれの縦材４２及び横材４３の９箇所において、９個のネジ部材２５により固定される。つまり、１つの基礎部２には、複数の縦材４２及び横材４３が直接固定される。Ｘ１側半分フレーム４ａ及びＸ２側半分フレーム４ｂは、フレーム４において仮想対称線Ｋを境界としてＸ方向の一方側Ｘ１及び他方側Ｘ２の部分である。本実施形態においては、９個のネジ部材２５の固定位置は、フレーム４の内側であって外枠４１を避けた位置である。
【００３７】
９個のネジ部材２５により固定されるフレーム４の固定位置は、図５に示すように、Ｘ１側半分フレーム４ａ及びＸ２側半分フレーム４ｂそれぞれにおいて、横材側中央固定位置４０１、一対の横材側端部固定位置４０２、一対の縦材側中央固定位置４０３、４つの縦材側角部固定位置４０４である。
【００３８】
横材側中央固定位置４０１は、横材４３に設けられ、平面視で、Ｘ１側半分フレーム４ａ及びＸ２側半分フレーム４ｂそれぞれの略中央に配置される。
一対の横材側端部固定位置４０２、一対の縦材側中央固定位置４０３及び４つの縦材側角部固定位置４０４は、平面視で、横材側中央固定位置４０１を中心に放射線上に配置される。また、別の見方をすると、一対の横材側端部固定位置４０２、一対の縦材側中央固定位置４０３及び４つの縦材側角部固定位置４０４は、平面視で、横材側中央固定位置４０１を中心とする長方形の外縁上に配置される。
【００３９】
一対の横材側端部固定位置４０２は、横材４３に設けられ、横材側中央固定位置４０１を挟んでＸ方向の両側それぞれに、横材側中央固定位置４０１から所定離間して配置される。所定距離は、例えば、基礎部２の半径の４分の１〜４分の３程度の長さの距離である。
【００４０】
一対の縦材側中央固定位置４０３は、Ｙ１側第２中間縦材４２１ｃ及びＹ２側第２中間縦材４２２ｃに設けられ、横材側中央固定位置４０１から、Ｙ方向の両側それぞれに、所定離間して配置される。所定距離は、例えば、基礎部２の半径の４分の１〜４分の３程度の長さの距離である。
【００４１】
４つの縦材側角部固定位置４０４は、横材側中央固定位置４０１を中心に放射線上に設けられる。４つの縦材側角部固定位置４０４は、それぞれ、Ｙ方向の一方側Ｙ１において、Ｙ１側第１中間縦材４２１ｂ及びＹ１側第３中間縦材４２１ｄに設けられ、Ｙ方向の他方側Ｙ２において、Ｙ２側第１中間縦材４２２ｂ及びＹ２側第３中間縦材４２２ｄに設けられる。４つの縦材側角部固定位置４０４は、横材側中央固定位置４０１から放射方向に所定離間して配置される。所定距離は、例えば、基礎部２の半径の４分の１〜４分の３程度の長さの距離である。
【００４２】
基礎部２は、図４及び図５に示すように、フレーム４に固定される固定部分として、中央固定部分２０１、一対のＸ方向離間固定部分２０２、一対のＹ方向離間固定部分２０３、及び４つの角側固定部分２０４を有する。中央固定部分２０１、一対のＸ方向離間固定部分２０２、一対のＹ方向離間固定部分２０３、及び４つの角側固定部分２０４において、基礎部２は、ネジ部材２５により、フレーム４に固定される。
【００４３】
中央固定部分２０１は、基礎部２の上面の略中央に設けられる。中央固定部分２０１は、フレーム４の横材側中央固定位置４０１においてネジ部材２５により固定される。
一対のＸ方向離間固定部分２０２は、基礎部２の上面において、中央固定部分２０１からＸ方向の両側に離間して設けられる。一対のＸ方向離間固定部分２０２は、フレーム４の横材側端部固定位置４０２においてネジ部材２５により固定される。
【００４４】
一対のＹ方向離間固定部分２０３は、基礎部２の上面において、中央固定部分２０１からＹ方向の両側に離間して設けられる。一対のＹ方向離間固定部分２０３は、フレーム４の縦材側中央固定位置３０４においてネジ部材２５により固定される。
４つの角側固定部分２０４は、基礎部２の上面において、一対のＸ方向離間固定部分２０２から、Ｙ方向の一方側Ｙ１及び他方側Ｙ２に離間して設けられる。角側固定部分２０４は、フレーム４の縦材側角部固定位置４０４においてネジ部材２５により固定される。
【００４５】
ネジ部材２５により縦材４２及び横材４３を基礎部２に固定する構造について説明する。図８は、フレーム４を基礎部２に固定する構造を示す断面図である。
図８に示すように、フレーム４は、縦材４２及び横材４３におけるホロー構造で構成される部分の下面板４５において、複数のネジ部材２５により、基礎部２に固定される。
【００４６】
ネジ部材２５により固定される縦材４２（Ｙ１側縦材４２１、Ｙ２側縦材４２２）及び横材４３は、図８に示すように、基礎部２に載置される下面板４５を有し、下面板４５に形成されるネジ止め用孔４５ａと、上面板４６に形成される上部ネジ用開口４６ａと、を有する。
【００４７】
上部ネジ用開口４６ａは、ドライバー（図示せず）の先端及びネジ部材２５の頭部を通り抜けることが可能な大きさに形成される。
ネジ止め用孔４５ａは、ネジ部材２５の軸部よりも大きな径で、かつ、ネジ部材２５の頭部よりも小さな径で形成される。
【００４８】
縦材４２と基礎部２とを固定する場合又は横材４３と基礎部２とを固定する場合には、上方側から上部ネジ用開口４６ａを通されて移動されたネジ部材２５により、ネジ部材２５の軸部が下面板４５のネジ止め用孔４５ａに貫通した状態で、ネジ部材２５の頭部と基礎部２との間に下面板４５におけるネジ止め用孔４５ａの縁部を挟み込むことで、基礎部２の上面には、縦材４２又は横材４３が固定される。
【００４９】
補強材４４は、フレーム４における基礎部２が配置される部分の外側の部分において、荷重に対して耐性を有するように、フレーム４を補強する。補強材４４は、例えば、中空部を有するアルミ材料で形成されたホロー構造で構成される。
補強材４４は、図５に示すように、Ｙ１側中央縦材４２１ａとＹ１側第１中間縦材４２１ｂとの間、Ｙ１側第３中間縦材４２１ｄと外枠４１の縦枠４１１との間、Ｙ２側中央縦材４２２ａとＹ２側第１中間縦材４２２ｂとの間、及びＹ２側第３中間縦材４２２ｄと外枠４１の縦枠４１１との間において、互いの部材をＸ方向に繋ぐようにＸ方向に延びて配置される。補強材４４は、隣接する縦材４２や外枠４１の縦枠４１１に連結される。
【００５０】
複数のタイル５は、それぞれ、例えば、平面視で正方形形状に形成され、所定の厚さを有する。タイル５は、図４及び図５に示すように、縦材４２の上面及び横材４３の上面によって支持されるように、フレーム４の上に敷設される。
【００５１】
幕板部６は、図４に示すように、床構成部３の外縁の側部を覆うように配置される。幕板部６は、フレーム４の側面に取り付けられる。本実施形態においては、図３に示すように、幕板部６は、２つのデッキ１が段差をもって配置された場合において、下段側のデッキ１の重なり部分側の端部には配置されていない。
【００５２】
このように構成されるデッキ１は、本実施形態において、図１〜図３に示すように、複数段に配置される。
第１方向Ｄ１に沿って下方に向けて配置される階段状の複数のデッキ１は、最上段に配置される基準デッキ１０から第１方向Ｄ１に向かって、第１デッキ１１、第２デッキ１２、第３デッキ１３、第４デッキ１４が、この順に配置される。第１デッキ１１、第２デッキ１２、第３デッキ１３及び第４デッキ１４は、短辺が第１方向Ｄ１に沿って配置されている。隣接する２つのデッキ１は、互いのフレーム４及びタイル５の一部同士が上下に重なった状態で、階段状に並んで配置される。
【００５３】
第１デッキ１１は、第１方向Ｄ１の一方側Ｄ１１の端部が、基準デッキ１０の第１方向Ｄ１の他方側Ｄ１２の端部の一段下方に入り込んで配置される。図２及び図３に示すように、基準デッキ１０と第１デッキ１１とは、平面視において、重なり幅Ｈ１で重なって配置される。
【００５４】
第２デッキ１２は、第１方向Ｄ１の一方側Ｄ１１の端部が、第１デッキ１１の第１方向Ｄ１の他方側Ｄ１２の端部の一段下方に入り込んで配置される。図２及び図３に示すように、第１デッキ１１と第２デッキ１２とは、平面視において、重なり幅Ｈ２で重なって配置される。重なり幅Ｈ２は、基礎部２が床構成部３の外縁から離れた内側に配置されており、重なり幅Ｈ１よりも大きくすることができる。
【００５５】
第３デッキ１３は、第１方向Ｄ１の一方側Ｄ１１の端部が、第２デッキ１２の第１方向Ｄ１の他方側Ｄ１２の端部の一段下方に入り込んで配置される。図２及び図３に示すように、第２デッキ１２と第３デッキ１３とは、平面視において、重なり幅Ｈ２で重なって配置される。重なり幅Ｈ２は、基礎部２が床構成部３の外縁から離れた内側に配置されており、重なり幅Ｈ１よりも大きくすることができる。
【００５６】
第４デッキ１４は、第３デッキ１３と同じ高さで、第３デッキ１３の第１方向Ｄ１に隣接して並んで配置されている。
【００５７】
また、第２方向Ｄ２に沿って下方に向けて配置される階段状の複数のデッキ１は、第１方向Ｄ１に並んで配置される第３デッキ１３及び第４デッキ１４の一方の短辺側から、第１方向Ｄ１に直交する第２方向Ｄ２に向かって、第５デッキ１５、第６デッキ１６が、この順に配置される。第５デッキ１５及び第６デッキ１６は、短辺が第２方向Ｄ２に沿って配置されている。
【００５８】
第５デッキ１５は、第２方向Ｄ２の一方側Ｄ２１の端部が、第３デッキ１３及び第４デッキ１４の一方の短辺側の端部の下方に入り込んで配置される。図２及び図３に示すように、第３デッキ１３及び第４デッキ１４と、第５デッキ１５とは、平面視において、重なり幅Ｈ２で重なって配置される。重なり幅Ｈ２は、基礎部２が床構成部３の外縁から離れた内側に配置されており、重なり幅Ｈ１よりも大きくすることができる。
【００５９】
第６デッキ１６は、第２方向Ｄ２の一方側Ｄ２１の端部が、第５デッキ１５の第２方向Ｄ２の他方側Ｄ２２の端部の一段下方に入り込んで配置される。図２及び図３に示すように、第５デッキ１５と第６デッキ１６とは、平面視において、重なり幅Ｈ２で重なって配置される。重なり幅Ｈ２は、基礎部２が床構成部３の外縁から離れた内側に配置されており、重なり幅Ｈ１よりも大きくすることができる。
【００６０】
なお、本実施形態では、デッキ構造１００を、階段の複数のデッキ１と、高さが同じ２つのデッキ１と、を組み合わせて構成したが、これに限定されない。デッキ構造１００は、例えば、１つのデッキ１のみで構成してもよいし、複数のデッキ１を同じ高さで並べることで全体を同じ高さで構成してもよいし、階段状の複数のデッキ１のみで構成してもよいし、階段状の複数のデッキ１と、高さが同じ複数のデッキ１と、を本実施形態とは異なる配置で構成してもよい。
【００６１】
次に、デッキ構造１００の施工方法について説明する。
まず、基礎部２を地面１０１に設ける。この場合には、図７（ａ）に示すように、筒状の管体２１を地面１０１から立設するように配置して、図７（ｂ）に示すように、管体２１にコンクリートを流し込んで基礎部２を作製する（作製する工程）。これにより、図７（ｃ）に示すように、円柱状の基礎部２を作製できる。本実施形態においては、管体２１は、複数の部材から構成される型枠とは異なり、一体型の筒状の部材により構成される。そのため、管体２１を一体型の筒状の部材により構成することで、複数の部材から構成される型枠を用いる場合よりも、部材の数を少なくできるため、コンクリートで基礎部２を作製する場合に、基礎部２を容易に作製できる。
【００６２】
次に、図４に示すように、外枠４１、縦材４２及び横材４３を工場などで一体化してフレームユニットとして構成されたフレーム４を、基礎部２の上部に載置して、複数のネジ部材２５により、フレーム４を基礎部２の上面に固定する（固定する工程）。
続けて、フレーム４の上部に、複数のタイル５を取り付けると共に、フレーム４の側面に、幕板部６を取り付ける。
このように基礎部２の上部にフレーム４を固定することで、デッキ構造１００を容易に施工できる。また、基礎部２がフレーム４の内側に配置されるため、基礎部２が外部から視認しにくい。よって、意匠性を向上できる。
【００６３】
複数のデッキ１を階段状に配置するデッキ構造１００を施工する場合には、互いのフレーム４及びタイル５の一部同士が上下に重なって、下段に配置されるデッキ１の端部が、上段に配置されるデッキ１の端部に重なり幅を有した状態で、上段に配置されるデッキ１の端部の下方に配置されるように、複数のデッキ１を階段状に配置する。
【００６４】
複数のデッキ１を階段状に配置する場合においても、基礎部２にフレーム４を固定する作業を、各段において行うことで、デッキ構造１００を容易に施工できる。
複数のデッキ１を階段状に配置する場合には、基礎部２がフレーム４の内側に配置されるため、基礎部２が外部から視認しにくく、浮遊感を感じさせることができる。よって、基礎部２が外部から視認しにくいため、意匠性を向上できる。
【００６５】
以上説明した本実施形態のデッキ１によれば、以下のような効果を奏する。
本実施形態のデッキ１は、基礎部２と、基礎部２に固定されるフレーム４と、フレーム４に取り付けられる床材５と、を備え、フレーム４は、外枠４１と、外枠４１内に配置される縦材４２及び横材４３と、を有し、基礎部２は、平面視でフレーム４における外枠４１を避けた位置に配置される。
【００６６】
そのため、基礎部２にフレーム４を配置するだけで、基礎部２にフレーム４を容易に取り付けることができる。よって、束柱や大引や根太を設置する作業を必要としないため、デッキ構造１００を容易に施工できる。また、基礎部２が外部から視認しにくいため、浮遊感を感じさせることができ、意匠性を向上できる。
【００６７】
また、本実施形態においては、１つの基礎部２は、離間して配置される複数の縦材４２に亘って配置される。これにより、平面視における基礎部２の大きさを大きくすることができるため、フレーム４を支持するための基礎部２の支持強度を確保しながら、基礎部２の数を少なくすることができる。よって、デッキ１を簡易に構成できる。
【００６８】
また、本実施形態においては、複数の縦材４２及び横材４３は、１つの基礎部２に直接固定される。そのため、フレーム４を基礎部２に固定する場合に、縦材４２及び横材４３を１つの基礎部２に直接固定するだけでよいため、フレーム４を基礎部２に容易に固定できる。また、他の部材を介さずに、縦材４２及び横材４３を１つの基礎部２に直接固定できるため、デッキ１を簡易に構成できる。
【００６９】
また、本実施形態においては、基礎部２の上面は、地面１０１よりも高い位置に位置する。これにより、フレーム４を基礎部２の上面に配置することで、基礎部２が外部から視認しにくいため、浮遊感を感じさせることができ、意匠性を向上できる。
【００７０】
また、本実施形態においては、基礎部２は、平面視で円形状に形成される。これにより、基礎部２が外部から視認されても、基礎部２の外周面に角が無く曲面状の外周面で形成されるため、意匠性を向上できる。
【００７１】
また、本実施形態においては、縦材４２及び横材４３の少なくとも一部は、中空部を有するホロー構造で構成され、フレーム４は、ホロー構造で構成される縦材４２及び／又は横材４３の下面板４５において、ネジ部材２５により、基礎部２に固定される。これにより、フレーム４を基礎部２に固定する場合に、ネジ部材２５が外部から視認しにくい位置に配置されるため、意匠性を向上できる。
【００７２】
また、本実施形態のデッキ１のデッキ構造１００においては、デッキ１を複数備え、隣接する２つのデッキ１は、互いのフレーム４及びタイル５の一部同士が上下に重なった状態で、段状に並んで配置される。これにより、段状に並んだ複数のデッキ１により、浮遊感を生じさせることができる。
【００７３】
また、本発明のデッキ１の施工方法は、筒状の管体２１にコンクリートを流し込んで基礎部２を作製する工程と、基礎部２に、フレーム４おける外枠４１、縦材４２及び横材４３を一体化して構成したフレームユニットを固定する工程と、を含む。これにより、基礎部２を容易に作製でき、容易に作製した基礎部２にフレーム４を設置することで、デッキ構造１００を容易に施工することができる。特に、一体型の筒状の部材により構成された管体２１を用いる場合には、複数の部材から構成される型枠を用いる場合よりも、部材の数を少なくできるため、基礎部２を容易に作製できる。
【００７４】
以上、本発明のデッキ構造１００の好ましい一実施形態について説明したが、本発明は、上述した実施形態に制限されるものではなく、適宜変更が可能である。
【００７５】
例えば、前記実施形態では、基礎部２の上面を地面１０１よりも高い位置に位置するように構成したが、これに限定されず、基礎部２の上面を地面１０１と同一の高さになるように構成してもよい。
【００７６】
また、前記実施形態では、デッキ構造において、複数のデッキを段状に配置したが、これに限定されず、複数のデッキを、段状に配置せずに、横方向に並べて配置してもよい。
例えば、前記実施形態のデッキのように、２つの基礎部２を横方向に離間して並べて、２つの基礎部２に亘るようにフレーム４を一体で構成することで、複数のデッキが横方向に連続して並ぶように構成してもよい。また、１つの基礎部２及び１つのフレーム４で構成された１つのデッキを横方向に複数並べてもよい。この場合に、複数のデッキを離間して並べてもよいし、複数のデッキを隙間なく並べてもよい。
【００７７】
また、前記実施形態では、床材をタイル５により構成したが、これに限定されない。例えば、床材を板材（天然木の板材、人工木の板材など）等で構成してもよい。また、床材の形状は、正方形状に限定されず、長方形状でもよい。
【００７８】
また、前記実施形態では、基礎部２を平面視で円形状に形成した。本実施形態においては、円形状には楕円形状も含まれる。しかし、基礎部２を平面視で円形状に形成することに限定されない。例えば、基礎部を平面視で多角形状、半円形、扇形状などに形成してもよい。
【００７９】
また、前記実施形態では、外枠内に配置される縦材及び横材に関して、複数の縦材及び１つの横材を有して構成したが、縦材及び横材の数は限定されない。また、外枠内に、横材及び縦材のいずれか一方のみを配置してもよい。この場合においても、縦材及び横材の数は限定されず、例えば、外枠内に複数の縦材のみを配置してもよいし、外枠内に複数の横材のみを配置してもよい。
【００８０】
また、前記実施形態では、基礎部２にフレーム４を直接固定したが、これに限定されない。例えば、基礎部２とフレーム４との間に他の部材を配置して、他の部材を介して、フレームと基礎部とを間接的に固定してもよい。
【符号の説明】
【００８１】
１  デッキ
２  基礎部
４  フレーム
５  タイル（床材）
２１  紙管（筒状部材）
２５  ネジ部材
４１  外枠
４２  縦材（内側フレーム部材）
４３  横材（内側フレーム部材）
４５  下面板
１００  デッキ構造
１０１  地面
【図１】
2020133199.tif 000003
【図２】
2020133199.tif 000004
【図３】
2020133199.tif 000005
【図４】
2020133199.tif 000006
【図５】
2020133199.tif 000007
【図６】
2020133199.tif 000008
【図７】
2020133199.tif 000009
【図８】
2020133199.tif 000010